(57)【特許請求の範囲】
【請求項１】
対象空間の湿度を調節する調湿装置であって、
タンク（４０）と、
前記タンク（４０）を収容する本体ケーシング（１０）と、
を備え、
前記本体ケーシング（１０）は、前記タンク（４０）を抜き差しするための開口（１２）を側面に有しており、
前記タンク（４０）は、タンク底面部（４６）と、前記タンク底面部（４６）の下面よりも低い位置まで伸びるように設けられており前記タンク（４０）の挿入時に前記開口（１２）の下縁に接触する接触部（Ｘ）と、を有しており、
前記接触部（Ｘ）のうち少なくとも前記開口（１２）の下縁の高さ近傍が、挿入側に向かうにつれて上がるように傾斜ないし湾曲しており、
前記タンク（４０）は、前記タンク（４０）の挿入側端部近傍に位置しており、前記接触部（Ｘ）に対して挿入側とは反対側に連続するように前記タンク底面部（４６）の下面から下方に伸びているタンク抵抗部（Ｙ）を有し、
前記本体ケーシング（１０）は、前記開口（１２）の出口の下縁近傍に、前記タンク抵抗部（Ｙ）と接触した状態で挿入側とは反対側に向けて前記タンク抵抗部（Ｙ）を移動させる場合に抵抗となる本体抵抗部（１５ｄ）を有している、
調湿装置（１）。
【請求項２】
前記接触部(Ｘ)は、略全部が、挿入側に向かうにつれて上がるように傾斜ないし湾曲している、
請求項１に記載の調湿装置（１）。
【請求項３】
前記接触部（Ｘ）の下端が前記タンク（４０）の下端である、
請求項１または２に記載の調湿装置（１）。
【請求項４】
前記接触部（Ｘ）は、前記タンク底面部（４６）の挿入側端部を形成している、
請求項１から３のいずれか１項に記載の調湿装置（１）。
【請求項５】
前記接触部（Ｘ）は、前記タンク底面部（４６）の上面を超える高さ位置まで伸びている、
請求項１から４のいずれか１項に記載の調湿装置（１）。
【請求項６】
前記接触部（Ｘ）は、挿入方向に細長く形成されている、
請求項１から５のいずれか１項に記載の調湿装置（１）。
【請求項７】
前記タンク（４０）は、挿入側の端部近傍が、挿入側に向かうにつれて挿入側の方向に略垂直な水平方向の幅が狭くなる挿入補助部（４５ｆ、４５ｂ）をさらに有している、
請求項１から６のいずれか１項に記載の調湿装置（１）。
【請求項８】
前記開口（１２）の下縁のうち前記接触部（Ｘ）と接触する部分が挿入側に窪んでいる、
請求項１から７のいずれか１項に記載の調湿装置（１）。
【請求項９】
前記タンク（４０）は、挿入側とは反対側の端部に取手部（４８）をさらに有している、
請求項１から８のいずれか１項に記載の調湿装置（１）。
【発明の詳細な説明】
【技術分野】
【０００１】
本発明は、水の入ったタンクを用いる調湿装置に関する。
【背景技術】
【０００２】
従来、加湿装置では、気化させて加湿を行うための水を入れるタンクが備わっており、このタンクに水を入れて本体にセットすることで、加湿運転を行っている。
【０００３】
例えば、以下に示す特許文献１に記載の加湿装置では、加湿装置本体の下方にタンクが挿入される形態のものであり、タンクの底面にローラが設けられたものが提案されている。このように、タンクの底面には、ローラが設けられているため、水が入った状態のタンクであっても、タンクの底面に設けられたローラを回転させながら、本体に対してスムーズに挿入することができている。
【特許文献１】特開２００２−２２１３３７号公報
【発明の開示】
【発明が解決しようとする課題】
【０００４】
しかし、上記特許文献１に記載の加湿装置では、タンクを本体に対してセットする場合に、挿入を補助するためのキャスターが必要になっており、部品点数が増大している。
【０００５】
本発明は、上述した点に鑑みてなされたものであり、本発明の課題は、簡易な構成によって本体に対するタンクの挿入を容易に行うことが可能な調湿装置を提供することにある。
【課題を解決するための手段】
【０００６】
第１発明に係る調湿装置は、対象空間の湿度を調節する調湿装置であって、タンクと、本体ケーシングとを備えている。本体ケーシングは、タンクを抜き差しするための開口を側面に有している。タンクは、タンク底面部と、タンク底面部の下面よりも低い位置まで伸びるように設けられている接触部と、を有している。接触部は、タンクの挿入時に開口の下縁に接触する。そして、接触部のうち少なくとも開口の下縁の高さ近傍が、挿入側に向かうにつれて上がるように傾斜ないし湾曲している。タンクは、タンクの挿入側端部近傍に位置しており、接触部に対して挿入側とは反対側に連続するようにタンク底面部の下面から下方に伸びているタンク抵抗部を有している。本体ケーシングは、開口の出口の下縁近傍に、タンク抵抗部と接触した状態で挿入側とは反対側に向けてタンク抵抗部を移動させる場合に抵抗となる本体抵抗部を有している。
【０００７】
ここでは、タンクおよび本体ケーシングをそれぞれ同一平面上の床面に配置した状態において、挿入側に向けてタンクを床面に滑らせながら押していくと、接触部が開口の下縁に接する。そして、タンクをさらに押していくと、接触部は開口の下縁に対する接触位置をずらしつつ開口の下縁に対して滑っていき、タンクは、本体ケーシングの開口の枠内に楽に導かれ、持ち上げる等の作業が不要になる。これにより、タンクの本体ケーシングに対する挿入負荷の低減を簡易な構成によって実現することが可能となる。
【０００８】
また、ここでは、タンクを本体ケーシングに対して挿入する際に、接触部が開口の下縁と接した状態において、少なくともその接点近傍が傾斜しているため、タンクの挿入し始めを楽に行うことが可能になる。
【０００９】
なお、タンク底面部を床面から浮かせつつ、タンクを挿入することが可能になる。
【００１０】
さらに、ここでは、タンクを抜き出す際に、タンクの概ね全体が本体ケーシングから取り出されつつある状態で、タンク抵抗部が本体ケーシングの本体抵抗部により抜き出しに対する抵抗を受け始める。このため、タンクが本体ケーシングから取り出されて、本体ケーシングから脱落する前に、タンクを抜き出そうとするユーザにタンクの抜き出し状態の程度を把握させることが可能になる。これにより、タンクの脱落を防止できることで、タンクの本体ケーシングからの脱落によるタンクの破損等を未然に防止することができる。
【００１１】
第２発明に係る調湿装置は、第１発明の調湿装置において、接触部は、略全部が、挿入側に向かうにつれて上がるように傾斜ないし湾曲している。
【００１２】
ここでは、接触部の略全部が傾斜しているため、挿入に際して引っかかる等の抵抗がない。
【００１３】
これにより、接触部が開口の下縁を沿って挿入される間の挿入抵抗を効果的に低減させることが可能になる。
【００１４】
第３発明に係る調湿装置は、第１発明または第２発明の調湿装置において、接触部の下端がタンクの下端である。
【００１５】
ここでは、接触部がタンクの下端に位置しており、接触部が開口の下縁を超えやすくなっている。
【００１６】
これにより、下端が開口の下縁高さを超えることでタンク全体が開口の下縁高さを超えることができる。
【００１７】
第４発明に係る調湿装置は、第１発明から第３発明のいずれかの調湿装置において、接触部は、タンク底面部の挿入側端部を形成している。
【００１８】
ここでは、タンクの挿入側端部に接触部が位置しているため、タンクの挿入側とは反対側を多少持ち上げるようにしてタンクの挿入側下端近傍を支点として傾けて挿入する場合であっても、容易に挿入させることが可能になる。
【００１９】
第５発明に係る調湿装置は、第１発明から第４発明のいずれかの調湿装置において、接触部は、タンク底面部の上面を超える高さ位置まで伸びている。
【００２０】
ここでは、タンクと本体ケーシングとを床面等に置いた状態で、タンク底面部の下面が開口の下縁よりも低い位置にあったとしても、本体ケーシングの開口の下縁の高さを超える高さまで接触部が伸びて形成されているため、挿入方向にタンクを押していくだけで、タンクが開口の下縁を超える高さまで容易に持ち上がる。
【００２１】
これにより、挿入負荷を低減させることが可能になる。
【００２２】
第６発明に係る調湿装置は、第１発明から第５発明のいずれかの調湿装置において、接触部は、挿入方向に細長く形成されている。
【００２３】
ここでは、接触部が細長く伸びている方向に向かうようにしてタンクを床面に対してズラしつつ挿入することができ、接触部が細いため摩擦を少なくできる。
【００２４】
これにより、より円滑に挿入することが可能になる。
【００２５】
第７発明に係る調湿装置は、第１発明から第６発明のいずれかの調湿装置において、タンクは、挿入側の端部近傍が、挿入側に向かうにつれて挿入側の方向に略垂直な水平方向の幅が狭くなる挿入補助部をさらに有している。
【００２６】
ここでは、タンクの形状として、挿入側に向かうにつれて水平方向の幅が狭くなる形状を採用している。
【００２７】
これにより、タンクを挿入する際に、水平方向についても開口内に導きやすくなる。
【００２８】
第８発明に係る調湿装置は、第１発明から第７発明のいずれかの調湿装置において、開口の下縁のうち接触部と接触する部分が挿入側に窪んでいる。
【００２９】
ここでは、開口の下縁のうち接触部と接触する部分が挿入側に窪んでいるため、タンクの水平方向の幅が本体ケーシングの開口に納まる位置に導かれた状態で、タンクを開口に挿入することができる。
【００３０】
これにより、上下方向の位置決めと左右方向の位置決めとを同時に行う必要がないためタンクの挿入が容易になる。なお、ここで、左右方向とは、挿入側を含む方向に対して垂直でかつ水平な方向をいう。
【００３１】
第９発明に係る調湿装置は、第１発明から第８発明のいずれかの調湿装置において、タンクは、挿入側とは反対側の端部に取手部をさらに有している。
【００３２】
ここでは、タンクの一端に取手部が設けられている。このため、ユーザは、取手部を持ってタンクを移動させることにより、簡単にタンクの挿入作業を行うことが可能になる。
【発明の効果】
【００３３】
第１発明の調湿装置では、タンクの本体ケーシングに対する挿入負荷の低減を簡易な構成によって実現することが可能となり、タンクの挿入し始めを楽に行うことが可能になる。また、タンク底面部を床面から浮かせつつ、タンクを挿入することが可能になる。さらに、タンクの脱落を防止できることで、タンクの本体ケーシングからの脱落によるタンクの破損等を未然に防止することができる。
【００３４】
第２発明の調湿装置では、接触部が開口の下縁を沿って挿入される間の挿入抵抗を効果的に低減させることが可能になる。
【００３５】
第３発明の調湿装置では、下端が開口の下縁高さを超えることでタンク全体が開口の下縁高さを超えることができる。
【００３６】
第４発明の調湿装置では、タンクの挿入側とは反対側を多少持ち上げるようにしてタンクの挿入側下端近傍を支点として傾けて挿入する場合であっても、容易に挿入させることが可能になる。
【００３７】
第５発明の調湿装置では、挿入負荷を低減させることが可能になる。
【００３８】
第６発明の調湿装置では、より円滑に挿入することが可能になる。
【００３９】
第７発明の調湿装置では、タンクを挿入する際に、水平方向についても開口内に導きやすくなる。
【００４０】
第８発明の調湿装置では、上下方向の位置決めと左右方向の位置決めとを同時に行う必要がないためタンクの挿入が容易になる。
【００４１】
第９発明の調湿装置では、取手部を持ってタンクを移動させることにより、簡単にタンクの挿入作業を行うことが可能になる。
【発明を実施するための最良の形態】
【００４２】
＜調湿空気清浄装置の構成＞
本発明の一実施形態に係る調湿空気清浄装置は、除湿機能、加湿機能および空気清浄機能を有しており、除湿運転時は除湿機として、加湿運転時は加湿機として、空気清浄運転時は空気清浄機として働く。また、本実施形態の調湿空気清浄装置では、単一機能だけでなく、同時に複数の機能を組合せて稼働させることができる。例えば、本実施形態の調湿空気清浄装置１は、空気清浄機能と除湿機能とを同時に発揮させたり、空気清浄機能と加湿機能とを同時に発揮させたり、除湿機能と加湿機能とを同時に発揮させたりすることができる。
【００４３】
以下、図面を参照しながら、本実施形態に係る調湿空気清浄装置１を説明する。
【００４４】
図１は、本発明の一実施形態に係る調湿空気清浄装置１の外観斜視図である。
【００４５】
図１において、調湿空気清浄装置１は、本体ケーシング１０、送風機２、除湿ユニット３、加湿ユニット４、空気清浄部５、制御部６、タンク４０および後述するドレンパン５０（図２３参照）等を備えている。ここで、送風機２、除湿ユニット３、加湿ユニット４、空気清浄部５、制御部６およびドレンパン５０等は、本体ケーシング１０の内部に収容されている。
【００４６】
以下、図１で示す矢印Ａの上流側を正面側とし、矢印Ａの下流側を背面側とし、以下説明する。
【００４７】
ここで、挿入側とは、例えば、本体ケーシング１０とタンク４０とを同一床面（平面）上に配置した場合において、タンク４０が本体ケーシング１０のタンク引出口１２に挿入される際に、タンク４０が進む向きであり、相対的な向きを意味するものとする。
【００４８】
本実施形態では、ユーザが容易に調湿空気清浄機１を移動させることができるように、本体ケーシング１０の本体底面１５（室内の床面と対向する面）に、キャスター１９（図１１等参照）が設けられている。
【００４９】
本体ケーシング１０には、上方部分に制御部６が配置され、正面視右側面の下方にタンク引出口１２を有し、このタンク引出口１２を介してタンク４０を挿入するための挿入スペースＳが設けられており、制御部５と挿入空間Ｓとの間に除湿ユニット３および加湿ユニット４が配置されている。さらに、図２３に示すように、除湿ユニット３および加湿ユニット４と、挿入スペースＳもしくはタンク４０との間に、後述するドレンパン５０が配置されている。
【００５０】
送風機２は、本体ケーシング１０内部の背面側に位置している。そして、調湿空気清浄装置１は、正面視において、正面側から背面側に向けて、空気清浄部５、除湿ユニット３、加湿ユニット４、送風機２の順で並んで配置されている。送風機２が稼働されることにより空気流路Ａが形成され、正面側から吸い込まれた被調和対象の空気は、空気清浄部５を通過して清浄化され、除湿ユニット３を通過した後に加湿ユニット４を通過して送風機２を介して再び被調和対象空間に送り出される。制御部６は、本体ケーシング１０内の上方に位置しており、空気清浄部５、除湿ユニット３、加湿ユニット４および送風機２をそれぞれ制御する。
【００５１】
図２は、除湿ユニットおよび加湿ユニットの斜視図である。
【００５２】
図２において、加湿ユニット４は、除湿ユニット３に対して背面側に位置している。図１、図２において、加湿ユニット４の一部である気化素子４１が加湿ユニット４から飛び出ておりタンク４０および水車４２が取り出されているメンテナンス状態をそれぞれ示しているが、運転状態では気化素子４１は加湿ユニット４の所定位置に収容され、タンク４０および水車４２は本体ケーシング１０の下方のスペースである挿入スペースＳに収容された状態となっている。
【００５３】
＜除湿ユニット＞
図３は、除湿ユニットの斜視図である。
【００５４】
図３において、除湿ユニット３は、吸着素子３１、ヒータ３２、第２送風機３３、送風管３４および熱交換部３５、排水口３８（図４参照）を有している。
【００５５】
吸着素子３１は、ハニカム構造体であり、ゼオライト粉末、バインダーおよび膨張剤を混合して練り上げた多孔質の材料によって円板状に成形されている。ここでのバインダーとしては、例えば、変性ＰＰＥ、ポリプロピレン、ポリスチレン、ＡＢＳ樹脂などの熱可塑性樹脂から選択されたものである。膨張剤は、ハニカム構造体の成形時に膨張することで、無数の気泡を形成させる。このため、吸着素子３１は、水分に対して高い吸着性を有している。
【００５６】
ヒータ３２は、吸着素子３１の背面側の一部に対向して配置されている。このヒータ３２は、略扇形形状であって、吸着素子３１の背面側の６分の１程度を覆う位置に設けられている。
【００５７】
第２送風機３３は、吸着素子３１の上方部分から背面側に向けて突出するような形状を有している。ヒータ３２と第２送風機３３とは空気の流通ができるように第１送風管３４ａによって連絡されている。第２送風機３３が稼働することで、空気流れが形成され、第１送風管３４ａを矢印で図示する方向へ流れる。そして、ヒータ３２近傍に流れてきた空気は、そこで加熱されて高温空気となる。
【００５８】
送風管３４は、第１送風管３４ａ、第２送風管３４ｂ、第３送風管３４ｃおよび第４送風管３４ｄを有している。ヒータ３２によって加熱された高温空気は、対向する吸着素子３１の背面側から吸着素子３１の厚み方向の正面側に向かって進み、吸着素子３１の正面側からに流れ出る。ここで、吸着素子３１の領域のうち高温空気が通過した領域では、高温空気によって暖められることで、保持していた水分が、第２送風機３３による空気流れにのって放出される。
【００５９】
吸着素子３１を背面側から前面側に向けて通過した空気は、吸着素子３１から放出された水分を含むことにより、高温高湿空気となり、第２送風管３４ｂに進む。第２送風管３４ｂは、吸着素子３１を通過してきた高温高湿空気の略全部を抵抗なく第３送風管３４ｃに向かわせるために、吸着素子３１の一部を正面側から覆うようにして形成されている。第２送風管３４ｂは、外形が正面視略扇形であって、上述したヒータ３２と共に吸着素子３１の同一部分を挟むような位置に設けられ、吸着素子３１の正面側の６分の１程度を覆っている。
【００６０】
第３送風管３４ｃは、第２送風管３４ｂから流れてくる高温高湿空気を、吸着素子３１の径方向外側の外周に沿って正面視右側に導く。第３送風管３４ｃには、前後方向に貫通する複数の長孔３５ａが設けられており、空気流路Ａの一部となっている。第３送風管３４ｃを流れる高温高湿空気は、長孔３５ａを形作っている壁面に接触しながら流れる。このため、長孔３５ａを含む空気流路Ａを通過する空気は、第３送風管３４ｃを流れる高温高湿空気との間で熱交換を行い、互いに混ざり合うことなく、第３送風管３４ｃ内を流れる空気から熱量を奪う。このため、長孔３５ａを形作っている壁面に接触した高温高湿空気は冷却され、長孔３５ａを形作っている壁面の第３送風管３４ｃ内側では結露が生じる。この結露水は、第３送風管３４Ｃ内において下方に流れ落ちつつ、図４に示す鉛直方向に貫通した排水口３８を通じて、後述のドレンパン５０を介してタンク４０へ流れ込む。
【００６１】
第４送風管３４ｄは、第３送風管３４ｃと第２送風機３３とを連絡している。第３送風管３４ｃを通過する高温高湿空気は、複数の長孔３５ａを形作っている壁面に接触して熱量と水分を奪われた後に、第４送風管３４ｄを通って第２送風機３３に吸い込まれる。
【００６２】
長孔３５ａは、吸着素子３１の径方向外側の一部を囲むように設けられており、複数の長孔３５ａによって熱交換部３５を形成している。除湿ユニット３は、厚み方向の寸法がほぼ同じ値に設定された平坦領域３ａが形成されており、第３送風管３４ｃと熱交換部３５とは、この平坦領域３ａに含まれる。
【００６３】
図４は、除湿ユニット３を背面側から視た正面図である。
【００６４】
図４において、除湿ユニット３は、駆動モータ３６をさらに有している。駆動モータ３６は、ピニオン歯車３６１を有している。そして、吸着素子３１の外周には、ピニオン歯車３６１と噛み合う従動歯車３１１が設けられている。駆動モータ３６が稼働している間、ピニオン歯車３６１と噛み合っている従動歯車３１１に動力を伝えることで、吸着素子３１は回転する。そして、吸着素子３１が回転しながら、本体ケーシング１０に吸い込まれた空気が空気流路Ａを通過することで、吸着素子３１の一部を通過する。この空気が吸着素子３１を通過する際に、吸着素子３１は通過しようとする空気中の水分を吸着して保持し、通過後の空気の水分を低減させる。そして、吸着素子３１が回転を続けることで吸着素子３１のうち水分を保持している部分が、ヒータ３２と対向する位置にまで移動し、加熱される。これにより水分を保持していた吸着素子３１の一部は、保持していた水分をその場で放出し、ほとんど水分を保持していない状態となる。そして、吸着素子３１は、回転を続けることで、空気流路Ａを通過して来る新たな空気と接触し、この新たな空気から水分を吸着して保持する。このようにして、吸着素子３１が回転することにより、水分の吸着と放出を繰り返すことができる。
【００６５】
図１において、本体ケーシング１０の最上面には、空気清浄運転、除湿運転および加湿運転を選択入力可能な選択パネル１１が設けられている。この選択入力を受け付ける選択パネル１１は、制御部６と通信可能に接続されている。選択パネル１１には、吸着素子３１の回転と停止とを選択できる選択ボタン３７が含まれており、除湿運転時に選択ボタン３７をオフ状態に切り替えると、吸着素子３１の回転が停止し、積極的な除湿運転が停止される。このとき、ヒータ３２と第２送風機３３は依然として稼働し続けているので、高温空気は送風管３４内を循環する。このため、空気流路Ａを流れる空気は、熱交換部３５を通過するときに暖められ、調和対象空間に暖められた空気を放出することができるので、小規模な暖房を行うことができる。このときに後述する加湿ユニット４を同時に稼働させることによって、暖房加湿運転を行うことができる。なお、本実施形態では、制御部６に予め暖房加湿運転モードが設定されており、選択パネル１１から暖房加湿運転を選択できるようにしている。
【００６６】
＜加湿ユニット＞
図５は、加湿ユニットの斜視図である。
【００６７】
図５において、加湿ユニット４は、本体内部除湿ユニット３の背面側に設けられており、気化素子４１、水車４２および駆動部４３を有している。この加湿ユニット４は、タンク４０の中に貯留されている水が供給されることで、加湿を行う。このタンク４０は、空気流路Ａを通る空気の加湿に用いる水源であり、本体ケーシング１０の挿入スペースＳに対して脱着可能に収納されている。タンク４０内の水が不足している場合には、加湿用の水を補充するために、ユーザは、本体ケーシング１０のタンク引出口１２からタンク４０を引き出して、水の補充を行う。なお、本実施形態の調湿空気清浄装置１においては、除湿ユニット３の機能を発揮させることで捕獲されてタンク４０に貯まった水を、加湿ユニット４における加湿機能の発揮に利用することができるため、単に加湿のみを行う従来の加湿器と比較して水の補充頻度を低減させることができている。
【００６８】
気化素子４１は、不織布で円板状に成形され、回転することによってタンク４０から送られてくる水を蒸発させる気化部材である。気化素子４１は外周に第１歯車４１１を有しており、第１歯車４１１は駆動部４３によって駆動歯車４３１が回転することによって回転させられる。気化素子４１は、気化素子４１の下端がタンク４０の満水状態における水位よりも上方に位置するように配置されているので、タンク４０内の水とは直接接触していない。
【００６９】
図６は、背面側から見た加湿ユニット４およびタンク４０の斜視図である。
【００７０】
図６において、水車４２は、その軸がタンク４０に設けられた軸受４０ａに指示されることで、タンク４０に対して回転可能に支持されている。そして、水車４２は、軸を中心として回転することで、タンク４０内の水面下に位置する部分でタンク４０内の水を捕らえ、気化素子４１と面している水面上の部分まで汲み上げ、水車４２が汲み上げた水が水車４２から放たれるようにして、気化素子４１に対して水を供給する。ここで、加湿ユニット４の厚み方向の寸法を小さくし、調湿空気清浄装置１自体の厚みをコンパクト化させるために、気化素子４１と水車４２は、各回転の軸が略並行の位置関係にあり、互い対向して隣接配置されている。
【００７１】
ここで、水車４２は、軸を中心として回転しつつ、タンク４０の水をより上方に位置する気化素子４１にまで運ぶために、水車４２の背面側の外周近傍には、軸方向に窪んで形成された略台形状の凹部４２１ａが複数設けられている。
【００７２】
図７は、水車４２の分解斜視図である。
【００７３】
図７において、水車４２は、車輪４２１、車輪カバー４２２および第２歯車４２３等が組み合わされて形成されている。
【００７４】
車輪４２１には、背面側に向けて窪んだ複数の凹部４２１ａが円周を沿うように配置されて形成されている。
【００７５】
車輪カバー４２２には、軸方向に貫通した略台形状の複数の孔４２２ａが形成されている。そして、車輪４２１と車輪カバー４２２とは、車輪４２１の複数の凹部４２１ａが、車輪カバー４２２の複数の孔４２２ａとそれぞれ対向する位置関係において組み合わされている。そして、孔４２２ａの大きさは、凹部４２１ａの窪みの上方近傍を縁取る略台形形状の略半分程度であり、車輪４２１と車輪カバー４２２とが組み合わされた状態で、凹部４２１ａの上方近傍を縁取る略台形形状の略半分程度が覆われて、略半分が開口した状態となっている。これにより、車輪４２１と車輪カバー４２２とが組み合わされた状態では、車輪４２１と車輪カバー４２２の間に回転位置によっては鉛直方向に窪んだ状態となる受け溝を形成することができ、水を上方に汲み上げることが可能になっている。
【００７６】
第２歯車４２３は、図６に示すように、気化素子４１の第１歯車４１１と噛み合う歯車であり、回転の中心には、車輪４２１、車輪カバー４２２および第２歯車４２３が共有する回転軸４２４が設けられている。回転軸４２４を同軸として、第２歯車４２３、車輪カバー４２２、車輪４２１が順に重ねて組み合わされている。
【００７７】
水車４２は、回転することによって、凹部４２１ａが順次タンク４０の水中を通過して水面を離れる動作を繰り返す。ここで、凹部４２１ａが浸水したとき、孔４２２ａを介して凹部４２１ａへ水が流れ込み、車輪４２１と車輪カバー４２２の間に鉛直方向に窪んだ受け溝は、内部が水で満たされた状態で水中から出ていく。
【００７８】
水車４２がさらに回転し、水で満たされた状態の受け溝が最上位置に近づくにしたがって、受け溝内の水は孔４２２ａを介して背面側下方に向けて流出し、最上位置を通過したときにほぼ全ての水が流出する。水は、流出する際に重力によってある程度の勢いが付加されているので、凹部４２１ａと近接している気化素子４１の前面側に到達するように、背面側に向かって流出する。
【００７９】
図６において、回転軸４２４は、タンク４０の軸受４０ａに回転可能に支持されている。そして、この軸受４０ａのタンク４０の底の上表面から軸受４０ａの軸芯までの高さが、水車４２が配置されたときにタンク４０が最低水位のときであっても、水車４２の最下位置における凹部４２１ａが水没する高さとなるように設定されている。
【００８０】
また、軸受４０ａは、上半分が開いているので、タンク４０が本体ケーシング１０から引き出されたときに、ユーザは水車４２をタンク４０から取り出して洗浄することができる。
【００８１】
＜除湿ユニットと加湿ユニットとの位置関係＞
図８は、除湿ユニット３と加湿ユニット４とが組み合わされた状態の斜視図である。
【００８２】
図８において、加湿ユニット４は、除湿ユニット３の第２送風機３３の下方に、平面視において互いに重なるように、配置されている。加湿ユニット４の気化素子４１は、除湿ユニット３の吸着素子３１および図８では不可視の熱交換部３５と対向している。そして、水車４２は、気化素子４１と熱交換部３５とで前後方向から挟まれるように配置されている。
【００８３】
＜気化素子の取り付け／取り出し機構＞
図５、図６で示すように、気化素子４１は、本体ケーシング１０からの取り出しを容易にするために、回転軸を前後方向に突出させていない形状に成形されている。
【００８４】
そして、気化素子４１は、第１歯車４１１が駆動歯車４３１および第２歯車４２３と噛み合うことによって両歯車４３１、４２３によって支持されている。第１歯車４１１が、安定した姿勢を維持するために、駆動歯車４３１および第２歯車４２３は、第１歯車４１１の回転軸よりも下方に位置し、且つ気化素子４１の鉛直中心線の面に対して互いに反対側に位置している。このため、気化素子４１は、軸支持されていなくても、安定して回転することができ、本体ケーシング１０から取り出されるときには、突出する軸がないので、本体ケーシング１０内部に引っ掛かることなく容易に取り出される。
【００８５】
ここで、図１に示すように、本体ケーシング１０には、回転式の気化部材扉１６を開けることによって、開口する気化素子取出口１３が設けられている。これにより、気化素子４１は、気化部材扉１６を開けることにより、気化素子取出口１３を介して取り出すことができる。これによって、ユーザは、気化素子４１を取り出して交換することができる。
【００８６】
＜タンクの挿入／抜き出し機構＞
（タンクの詳細構成）
図９に、タンクと水車と加湿ユニットとの位置関係を示す背面図を、図１０に、挿入スペースに対してタンクを挿入する状態を示す背面図を、それぞれ示す。
【００８７】
また、図１１に、本体底面とタンクとの位置関係を示す底面斜視図を、図１２に、挿入スペースに対してタンクを挿入する状態を示す正面図を、それぞれ示す。
【００８８】
タンク４０は、図９〜１２に示すように、透明の樹脂で成型された、タンク正面４０ｆと、タンク背面４０ｂと、タンク挿入面４０ｓと、タンク底面４６と、タンクリブ４４と、タンク曲面４５と、凸部４０ｃと、非透明の樹脂で成型された、タンク取出面４７と、タンク取手４８と、軸受４０ａと、を備えている。
【００８９】
タンク正面４０ｆは、図１２、図１、図２および図５等において示すように、タンク４０の正面側の側面を構成している。また、このタンク正面４０ｆは、図１に示すように、その面の一部を構成している添え部４０ｗを有している。この添え部４０ｗは、タンク正面４０ｆの挿入側端部近傍において背面側に窪んだ形状を有している。このため、ユーザは、タンク４０を両手で保持する際に、例えば、左手の指をこの添え部４０ｗの窪みに入れて、下から支えるようにしてタンク４０を取り上げることができる。
【００９０】
タンク背面４０ｂは、図９、図１０、図１１および図６等において示すように、タンク４０の背面側の側面を構成している。
【００９１】
タンク挿入面４０ｓは、図１２、図２等において示すように、タンク４０の正面視左側の側面、すなわち、タンク４０を本体ケーシング１０の挿入スペースＳに挿入する際に最初に挿入スペースＳ内に入る側面を構成している。
【００９２】
タンク底面４６は、図９、図１０、図１１および図１２等に示すように、タンク４０の底面を構成している。また、タンク底面４６は、図１０、図１１および図１２に示すように、タンク挿入面４０ｓから所定距離離れた部分からタンク挿入面４０ｓから離れるに従って下方に傾斜したタンクテーパ４６ａを有している。なお、図１９に示すように、タンク底面４６の挿入側とは反対側の端部近傍は、本体ケーシング１０のタンク引出口１２の下縁を構成している。
【００９３】
タンク取出面４７は、図１１および図１２等において示すように、タンク４０の正面視右側の側面を構成しつつ、タンク４０を本体ケーシング１０の挿入スペースＳに挿入した状態では、本体ケーシング１０の正面視右側の側面の一部を構成する。また、このタンク取出面４７は、図１、図５等に示すように、タンク取出面４７を板厚方向に貫通したタンク窓部４７ａが設けられている。
【００９４】
以上のタンク正面４０ｆ、タンク背面４０ｂ、タンク挿入面４０ｓ、タンク底面４６およびタンク取出面４７によって器形状が形成され、タンク４０はその器の内側に水を貯めることができる。
【００９５】
タンク取手４８は、図１、図１０、図１１および図１２等に示すように、タンク４０の挿入側とは反対側の端部であるタンク取出面４７の下方にＶ字形状に窪んだ溝であり、下方から上方に向けて手を差し入れて掴むことができる。ユーザは、このタンク取手４８を掴んで、本体ケーシング１０からタンク４０を抜き出したり、本体ケーシング１０に対してタンク４０を挿入したりすることができる。
【００９６】
タンクリブ４４は、図１０、図１１および図１２に示すように、背面視においてタンク底面４６とタンク挿入面４０ｓとによって形成されるコーナーを縁取るようにして突出したリブであって、正面側の正面タンクリブ４４ｆと、背面側の背面タンクリブ４４ｂとの２つが互いに平行に伸びるようにして設けられている。この正面タンクリブ４４ｆおよび背面側の背面タンクリブ４４ｂは、共に、タンク底面４６の下面側からさらに鉛直方向下方に伸びた部分を有しており、タンク４０の最も低い位置（下端）を構成しているため、タンク４０を床上に置いた状態で、床と接触し、タンク４０を支えることができる。
【００９７】
そして、タンク４０の側断面である図１９に示すように、正面タンクリブ４４ｆおよび背面タンクリブ４４ｂは、いずれも、タンク引出口１２を介して本体ケーシング１０の挿入スペースＳに挿入されるときに、タンク引出口１２の下縁に対して接触しつつ滑り上がる接触部Ｘを有している。
【００９８】
この接触部Ｘは、タンク引出口１２の下縁の高さ近傍部分を含む、略全部が、挿入側に向かうにつれて上がるように傾斜して形成されている。ここで、この接触部Ｘの傾斜形状としては、図１９に示すように、略全部が、湾曲して形成されている。この接触部Ｘは、タンク４０の挿入側下端部を覆う位置に設けられており、タンク底面４６の下面よりもタンク４０の下端を構成する低い位置から、タンク底面４６の上面を超えて少なくともタンク引出口１２近傍における本体底面１５の上面の高さｈ５＋ｈ４の位置（本体底面１５自体の厚さｈ４を含む）よりも高い位置まで伸びて形成されている。また、この接触部Ｘは、タンク底面４６の挿入側の端部を形成しているため、タンク４０の挿入側とは反対側を多少持ち上げるようにしてタンク４０の挿入側下端近傍を支点として傾けて挿入する場合であっても、挿入が容易になる。また、この接触部Ｘは、正面タンクリブ４４ｆおよび背面タンクリブ４４ｂのいずれについても、挿入方向に細長く形成されている。
【００９９】
また、正面タンクリブ４４ｆおよび背面タンクリブ４４ｂは、いずれも、タンク４０の挿入側端部近傍であって挿入側とは反対側の接触部Ｘの延長上に位置しており、タンク４０の取り出し時に底面凹部１５ｄ（後述する）に対して抵抗となる、タンク抵抗部Ｙを有している。
【０１００】
そして、正面タンクリブ４４ｆおよび背面側の背面タンクリブ４４ｂは、正面タンクリブ４４ｆおよび背面側の背面タンクリブ４４ｂの下端から上方に上がるにつれて挿入側を含む方向の幅が広がっていくような形状を有しており、床面Ｇと正面タンクリブ４４ｆおよび背面側の背面タンクリブ４４ｂとの接触面積が小さくなっており、タンク４０を床面Ｇに対して滑らせる際の摩擦抵抗を低く抑えることができる。そして、床面Ｇと接触していない部分は、各部分が、所定の曲率半径によって、湾曲して形成されている。
【０１０１】
このタンクリブ４４は、図１９に示すように、タンクリブ４４の下端から、本体ケーシング１０のキャスター１９によって地面から離れている本体底面１５の上面の高さ（高さｈ５と高さｈ４との和）の高さに至るまでの間の挿入側の縁が、下端から挿入側に向かうにつれて上方に上がるように形成されている。このため、途中で挿入側に傾斜していない部分が無いため、後述するタンク４０の挿入時にその傾斜していない部分で挿入に対する抵抗が増大してしまうという事態を避けることができるようになっている。
【０１０２】
なお、タンクリブ４４は、図１９に示すように、タンク底面４６の挿入側の端部近傍に位置している。そして、タンク底面４６の上面を超える高さ位置まで設けられている。このため、タンク４０と本体ケーシング１０とを床面Ｇに置いた状態で、タンクリブ４４に支えられたタンク底面４６の下面が本体底面１５の上面よりも低い位置にあったとしても、タンクリブ４４がタンク底面１５の上面を超える高さまで設けられており、さらに、本体ケーシング１０の本体底面１５の上面を超える高さまで設けられているため、タンク４０の挿入負荷を低減させることができる。
【０１０３】
そして、このタンクリブ４４の長手方向は、挿入側と略平行に形成されている。このため、挿入側に対して垂直に上下挿入補助部の長手方向が形成される構成と比較して、摩擦を少なくすることができる。
【０１０４】
タンク曲面４５は、図１１、図１０および図１２に示すように、正面タンク曲面４５ｆと、背面タンク曲面４５ｂと、を有している。正面タンク曲面４５ｆは、タンク挿入面４０ｓとタンク正面４０ｄとによって形成されるコーナーを両面がなめらかにつながるＲ形状として、このＲ形状が鉛直方向に続いている形状を有している。背面タンク曲面４５ｂは、タンク挿入面４０ｓとタンク背面４０ｂとによって形成されるコーナーを両面がなめらかにつながるＲ形状として、このＲ形状が鉛直方向に続いている形状を有している。この正面タンク曲面４５ｆと、背面タンク曲面４５ｂと、によって、タンク４０の挿入側端部近傍は、挿入側に向かうにつれて、挿入側に略垂直な水平成分の幅が狭くなっていく形状となっている。このため、タンク４０の形状として、挿入側に向かうにつれて水平方向の幅が狭くなっていることから、タンク４０を挿入する際に、水平方向についてもタンク引出口１２内に導きやすくなる。
【０１０５】
また、本体ケーシング１０は、図１３等において示すように、タンク取出口１２の縁のうち、本体正面１０ｆや本体背面１０ｂによって構成されている縁の位置よりも、本体底面１５によって構成されている縁の位置のほうが、所定窪み距離ｈ２だけ挿入側に窪むように形成されている。これに対して、図１３に示すように、上述した正面タンク曲面４５ｆや背面タンク曲面４５ｂの挿入側とは反対側の端部から、正面タンクリブ４４ｆや背面側の背面タンクリブ４４ｂの挿入側端部までの間の所定厚さｈ３のほうが、本体ケーシング１０の窪みである所定窪み距離ｈ２よりも短くなるように形成されている。これにより、タンク４０の挿入時には、先に、正面タンク曲面４５ｆもしくは背面タンク曲面４５ｂが本体ケーシング１０の本体正面１０ｆや本体背面１０ｂのタンク取出口１２側の端部に当接して、水平方向の位置がガイドされ、その後に、正面タンクリブ４４ｆや背面側の背面タンクリブ４４ｂによって上下方向の位置がガイドされることになる。
【０１０６】
軸受４０ａは、図６、図９および図１２に示すように、タンク４０のタンク底面４６の上面側から上方に伸びており、先端が下方にわずかに窪んだ形状を有しており、水車４２の回転軸４２４を回転自在に支持する。
【０１０７】
凸部４０ｃは、図６および図９に示すように、タンク取出面４７のタンク窓部４７ａの開口に対応するようにして、タンク４０の側面の一部が周囲方向に突出した形状を有している透明樹脂成型部である。この凸部４０ｃは、タンク窓部４７ａに嵌合されることで、本体ケーシング１０の側面の一部を構成するタンク取出面４７の一部であるタンク窓部４７ａに嵌められた透明な凸部４０ｃを介して、タンク４０内の水位を、タンク４０装着状態であっても視認することができる。
【０１０８】
なお、本体ケーシング１０は、図１、図９、図１０、図１１および図１２に示すように、本体底面１５を有している。そして、本体底面１５の下面側の４つのコーナーには、さらに下方に設けられたキャスター１９がそれぞれ設けられており、本体ケーシング１０を４点で支えている。さらに、本体ケーシング１０は、図１に示すように、本体ケーシング１０の正面側を構成する本体正面１０ｆと、本体ケーシング１０の背面側を構成する本体背面１０ｂとを備えている。ここで、本体ケーシング１０に、タンク４０を挿入するために設けられた挿入スペースＳは、本体底面１５の上面側の面と、本体正面１０ｆの背面側の面と、本体背面１０ｂの正面側の面と、によって囲まれたスペースである。この挿入スペースＳは、図１に示すように、略水平方向に開口したタンク引出口１２を有している。
【０１０９】
また、本体ケーシング１０は、後述する図１３に示すように、本体底面１５のタンク引出口１２側端辺は、本体正面１０ｆや本体背面１０ｂのタンク引出口１２側端辺の位置よりも、挿入方向に所定窪み距離ｈ２だけ内側に位置している。
【０１１０】
さらに、本体ケーシング１０の本体底面１５は、後述する図１９に示すように、タンク引出口１２側端辺を構成する底面開口側端辺１５ｐと、この底面開口側端辺１５ｐ近傍において下方に窪んだ底面凹部１５ｄとを有している。すなわち、正面タンクリブ４４ｆや背面側の背面タンクリブ４４ｂの挿入側とは反対側の端部は、タンク４０の挿入側端部近傍に位置している。本体底面１５のタンク取出口１２近傍の上面側に設けられた底面凹部１５ｄは、正面タンクリブ４４ｆや背面側の背面タンクリブ４４ｂと接触した状態で挿入側とは反対側に向けて正面タンクリブ４４ｆや背面側の背面タンクリブ４４ｂを移動させる場合に抵抗として機能する。
【０１１１】
以下、この本体ケーシング１０の挿入スペースＳに対して、タンク４０が挿入される様子について説明する。
【０１１２】
（タンクの挿入）
図１で示したように、タンク４０は、本体ケーシング１０の挿入スペースＳに対して着脱可能に設けられているため、引き出し式のタンク取出面４７のタンク取手４８を掴んでタンク４０を挿入することによって、本体ケーシング１０のタンク引出口１２を介して挿入スペースＳに挿入することができる。
【０１１３】
ここで、調湿空気清浄装置１の上方から見た断面図である、タンク４０と本体ケーシング１０との位置関係を示す平面断面図を、図１３、図１４、図１５、図１６、図１７および図１８においてそれぞれ示す。
【０１１４】
また、調湿空気清浄装置１の正面側から見た断面図である、タンク４０と本体ケーシング１０との位置関係を示す正面断面図を、図１９、図２０、図２１および図２２においてそれぞれ示す。
【０１１５】
ここで、図１６で示す平面状態は図１９の正面状態に対応し、図１７で示す平面状態は図２０の正面状態に対応し、図１８で示す平面状態は図２１の正面状態に対応している。
【０１１６】
まず、ユーザは、タンク取手４８を掴んで、タンク４０のタンク挿入面４０ｓが、本体ケーシング１０のタンク引出口１２の枠内に納まる位置となるように、タンク４０の位置を移動させる。
【０１１７】
ここで、図１３に示すように、タンク正面４０ｆの正面側の面が本体正面１０ｆの背面側の面より内側に位置せず、ｈ１の距離だけずれて点Ｑ１で当接している状態から矢印で示す方向に挿入されようとする場合がある。
【０１１８】
なお、ここで、本体ケーシング１０は、図１３等において示すように、タンク取出口１２の縁のうち、本体正面１０ｆや本体背面１０ｂによって構成されている縁の位置よりも、本体底面１５によって構成されている縁の位置のほうが、所定窪み距離ｈ２だけ挿入側に窪むように形成されている。これに対して、図１３に示すように、上述した正面タンク曲面４５ｆや背面タンク曲面４５ｂの挿入側とは反対側の端部から、正面タンクリブ４４ｆや背面側の背面タンクリブ４４ｂの挿入側端部までの間の所定厚さｈ３のほうが、本体ケーシング１０の窪みである所定窪み距離ｈ２よりも短くなるように形成されている。
【０１１９】
このため、タンク４０を挿入する際に、正面タンクリブ４４ｆや背面側の背面タンクリブ４４ｂが本体底面１５の所定窪み距離ｈ２だけ窪んだ部分に到達して本体底面１５の上下方向の位置のガイドが行われるよりも先に、正面タンク曲面４５ｆもしくは背面タンク曲面４５ｂが本体ケーシング１０のタンク取出口１２の縁のうち本体正面１０ｆや本体背面１０ｂによって構成されている縁に当接して、タンク４０は、まず最初に、左右方向の位置がガイドされることになる。したがって、タンク４０の挿入時には、まず、タンク４０のタンク取出口１２に対する左右方向の位置のガイド（正面側と背面側とのズレの修正）が行われ、その後に、上下方向の位置のガイド（高さ方向のズレの修正）が行われる、という順で挿入される。
【０１２０】
この場合、このように、タンク４０の左右方向端部の位置が、本体ケーシング１０のタンク引出口１２の左右の幅と対応していない位置から挿入される場合であっても、図１４に示すように、正面タンク曲面４５ｆが湾曲形状であることにより、図１３における矢印の方向にユーザが力を加えても、タンク４０は、図１４に示す矢印の向きに容易に移動していく。このため、タンク正面４０ｆの挿入側先端は、本体正面１０ｆの内側に位置するように点Ｑ２で当接した状態となる。したがって、タンク４０は、図１５に示すように、点Ｑ３を支点として回転させるように挿入させることができ、タンク挿入面４０ｓは、本体ケーシング１０のタンク引出口１２の枠内に納まることが可能な位置に、特段挿入方向をユーザに意識させることなく導かれる。以上のタンク４０の水平方向の位置の調節は、背面タンク曲面４５ｂが始めに本体背面１０ｂに当接した場合であっても同様である。
【０１２１】
そして、ユーザは、タンク挿入面４０ｓが、本体ケーシング１０のタンク引出口１２の枠内に納まった状態で、さらに、タンク４０を挿入スペースＳ内に挿入させる。
【０１２２】
そうすると、図１６に示すように、正面タンクリブ４４ｆおよび背面タンクリブ４４ｂの接触部Ｘの少なくともいずれか一方（両方同時であってもよい）が点Ｐ１において本体底面１５のタンク取出口１２側端辺に当接した状態となる。この状態は、上述したように、正面断面図で示すと図１９で示すような位置関係になっている。ここで、上述した底面開口側端辺１５ｐの上面は、本体底面１５の４角に設けられたキャスター１９の高さや本体底面１５の形状により持ち上げられた分の高さ（ｈ５）と、底面開口側端辺１５ｐ自体の厚み高さ（ｈ４）と、によって、床面Ｇから鉛直上方にｈ４＋ｈ５だけ離れて位置している（キャスター１９は、図１９において奥行き方向もしくは手前方向に存在しているため点線で示している）。このため、床面Ｇに当接した状態の正面タンクリブ４４ｆおよび背面タンクリブ４４ｂは、その一部が、図１９の点Ｐ１で示す床面Ｇから離れた点において底面開口側端辺１５ｐと当接している。
【０１２３】
ここでは、タンク４０の正面タンクリブ４４ｆおよび背面タンクリブ４４ｂには、下端から挿入側に向かうにつれて縁がより上方に位置している接触部Ｘが設けられている。そして、タンク４０に設けられた正面タンクリブ４４ｆおよび背面タンクリブ４４ｂの高さは、少なくともタンク引出口１２近傍における本体底面１５の厚さ（ｈ４）よりも長く伸びている。具体的には、ここでは、正面タンクリブ４４ｆおよび背面タンクリブ４４ｂは、正面タンクリブ４４ｆおよび背面タンクリブ４４ｂの下端からｈ４＋ｈ５の高さを超える高さに至るまでの間の挿入側の縁が、途中で挿入側に傾斜していない部分を有することなく、なだらかに、下端から挿入方向に向かうにつれて上方に上がるように形成されている。
【０１２４】
このため、挿入側にタンク４０が進むようにタンク４０を床面Ｇに対して滑らせて、タンク引出口１２を通じて本体ケーシング１０の挿入スペースＳに挿入する場合に、挿入が楽になる。すなわち、タンク４０は、本体底面１５の厚み分によって挿入が遮られることなく、タンク４０の正面タンクリブ４４ｆおよび背面タンクリブ４４ｂの接触部Ｘが、タンク引出口１２の下縁（タンク底面１５を構成している底面開口側端部１５ｐの上端近傍部分）を滑るようにして、タンク４０の挿入側が本体底面１５の上面側の上に、挿入抵抗の増大を抑えつつ、楽に滑り上がる。
【０１２５】
このように、正面タンクリブ４４ｆおよび背面タンクリブ４４ｂの湾曲傾斜部分が底面開口側端辺１５ｐの上面の高さ位置を超えた部分まで伸びて存在しているため、さらにユーザがタンク４０を挿入スペースＳに挿入させる方向に軽い力を加えると、図２０に示すように、底面開口側端辺１５ｐとの当接点Ｐ２において、正面タンクリブ４４ｆおよび背面タンクリブ４４ｂの湾曲傾斜部分が順次スライドしていくことで、タンク４０のタンク挿入面４０ｓ側が挿入方向に移動しながら鉛直上方に上昇する。この状態は、図１７の平面断面図で示された状態である。
【０１２６】
そして、さらにユーザがタンク４０を挿入スペースＳに押し込むと、図２１に示すように、正面タンクリブ４４ｆおよび背面タンクリブ４４ｂが完全に本体底面１５の上面側に上がり、平面断面図としては図１８で示す位置関係となり、容易にタンク４０を挿入スペースＳに挿入することができる。
【０１２７】
（タンクの抜き出し）
図１で示したように、タンク４０は、本体ケーシング１０の挿入スペースＳに対して着脱可能に設けられているため、引き出し式のタンク取出面４７のタンク取手４８を掴んでタンク４０を抜き出すことによって、本体ケーシング１０のタンク引出口１２からタンク４０を抜き出すことができる。
【０１２８】
ここで、図２２に示すように、タンク４０の全体がタンク引出口１２から抜き出される直前の状態となると、本体底面１５には、底面凹部１５ｄが底面開口側端辺１５ｐの近傍に設けられているため、正面タンクリブ４４ｆおよび背面タンクリブ４４ｂの抜き出し方向の端部が、底面凹部１５ｄの抜き出し方向の壁面と当接し、抜き出しに対する抵抗が一気に増大する状態となる。
【０１２９】
すなわち、正面タンクリブ４４ｆや背面側の背面タンクリブ４４ｂの挿入側とは反対側の端部は、タンク４０の挿入側端部近傍に位置しているため、本体底面１５のタンク取出口１２近傍の上面側に設けられた底面凹部１５ｄは、タンク４０の概ね全体が本体ケーシング１０から取り出された状態になると、正面タンクリブ４４ｆや背面側の背面タンクリブ４４ｂと接触した状態で挿入側とは反対側に向けて正面タンクリブ４４ｆや背面側の背面タンクリブ４４ｂを移動させる場合に抵抗として機能する。
【０１３０】
これにより、タンク４０が抜き出される際に、タンク４０の概ね全体が本体ケーシング１０から取り出されつつある状態で、正面タンクリブ４４ｆや背面側の背面タンクリブ４４ｂが本体底面１５の底面凹部１５ｄにより抜き出しに対する抵抗を受け始める。このため、タンク４０が本体ケーシング１０から取り出されて、本体底面１５から脱落する前に、タンク４０を抜き出そうとするユーザに状態を把握させることができる。したがって、ユーザは、タンク４０を挿入スペースＳから勢いよく抜き出す場合であっても、タンク４０が完全に抜き出される前に、一旦負荷が増大することで、タンク４０が完全に抜き出される状態の手前の状態にあることを把握することができる。これにより、タンク４０の脱落を防止できることで、タンク４０の本体底面１５からの脱落によるタンク４０の破損等を未然に防止することができる。
【０１３１】
これにより、ユーザが勢いよくタンク４０を抜き出すことにより、タンク４０のタンク挿入面４０ｓの下端近傍や正面タンクリブ４４ｆおよび背面タンクリブ４４ｂが、勢いよく床面Ｇに叩き付けられて破損する等の問題を解決できている。
【０１３２】
また、図２２で示す、タンク４０が完全に抜き出される前に一旦負荷が増大する状態は、図１に示す状態において、タンク４０を抜き出そうとする場合の位置関係に等しく、このタンク４０のほぼ全体が挿入スペースＳから取り出されている状態では、タンク４０のタンク正面４０ｆの一部を構成している添え部４０ｗが本体ケーシング１０の外側に露出する位置まで移動している。そして、この添え部４０ｗは、タンク正面４０ｆの挿入側端部近傍において背面側に窪んだ形状を有しているため、右手でタンク取手４８を掴んでタンク４０を挿入スペースＳから抜き出している状態において、ユーザは、余った左手を添え部４０ｗに差し入れて、下からタンク４０を支持することで、両手でタンク４０を持ち上げることができる。そして、このように、タンク４０を抜き出す際にタンク４０の添え部４０ｗに左手を添えて両手で持ち上げるためのタイミングは、タンク４０が完全に抜き出される前に一旦負荷が増大することによりユーザが把握することができる。このため、ユーザは、タンク４０が本体ケーシング１０から脱落してしまう前の、この一旦負荷が増大している状態で左手を添えることができるようになる。
【０１３３】
このようにして、ユーザは、タンク４０を本体ケーシング１０から取り出して、加湿のための水の補給および除湿の際の水の廃棄を行ったり、水車４２の洗浄等を行うことができる。
【０１３４】
以下、上述したタンク４０の挿入および抜き出しにより、傾斜状態が変化するドレンパン５０について説明する。
【０１３５】
＜タンクの挿入時および抜き出し時におけるドレンパンの状態＞
（ドレンパンの詳細構成）
図２３に、タンクが挿入されている状態におけるドレンパンおよびその近傍の構成配置を示す斜視図を、図２４に、タンクが抜き出される途中の状態におけるドレンパンおよびその近傍の構成配置を示す斜視図を、それぞれ示す。
【０１３６】
図２５に、タンクが挿入されている状態におけるドレンパンの傾斜状態を示す背面図を、図２６に、タンクが抜き出される途中の状態におけるドレンパンの傾斜状態を示す背面図を、それぞれ示す。
【０１３７】
ここで、ドレンパン５０は、図２３、図２４、図２５および図２６においてそれぞれ示すように、遥動軸５１と、注ぎ口５２と、予備容器５３と、加湿水受け５４と、傾斜リブ５５とを備えている。
【０１３８】
遥動軸５１は、正面側から背面側に向かって伸びる軸である。この遥動軸５１は、この軸を中心としてドレンパン５０を回転自在に、除湿ユニット３の下端部分に対して支持している。
【０１３９】
注ぎ口５２は、ドレンパン５０において補水した水を、下方に配置されたタンク４０に導くために、鉛直方向に貫通した開口であり、遥動軸５１の近傍に設けられている。これにより、図２４および図２５に示すように、ドレンパン５０の傾斜状態が略水平状態である場合に、補水した水をタンク４０に向けて流れ落とす。
【０１４０】
予備容器５３は、ドレンパン５０の水受けのうち、正面視左側、すなわち、タンク４０の挿入側の水受けを構成しており、主に、除湿ユニット３で生じた凝縮水を補水する。ここで、除湿ユニット３は、図２６に示すように、除湿ユニット３の下端に設けられた排水口３８を介して、熱交換部３５において生じた凝縮水を予備容器５３上に滴下させることができる。
【０１４１】
加湿水受け５４は、ドレンパン５０の水受けのうち、上述した予備容器５３とは、遥動軸５１に対して反対側の端部の水受けを構成しており、主に、加湿ユニット４に対して水車４２が給水する際に気化素子４１が保持しきれずに落下させる水を補水する。
【０１４２】
傾斜リブ５５は、正面視左側、すなわち、タンク４０の挿入側の下面からさらに下方に突出したリブであり、挿入方向に行くにしたがって突出程度が増大するように形成されている。
【０１４３】
以上の構成で、ドレンパン５０は、遥動軸５１に対して、加湿水受け５４が設けられている側よりも、予備容器５３や傾斜リブ５５が設けられている側のほうが大きく重くなっている。そして、遥動軸５１は、ドレンパン５０の重心よりも加湿水受け５４側に配置されている。このため、ドレンパン５０に何ら力が作用されていない状態では、ドレンパン５０は、予備容器５３や傾斜リブ５５が設けられている側が下方に移動し、加湿水受け５４が設けられている側が持ち上げられるようにして、バランスが保たれる。
【０１４４】
（ドレンパンの傾斜状態）
（タンク挿入時）
タンク４０が挿入スペースＳに挿入された状態では、図２５に示すように、点Ｔにおいて、タンク４０の上面部分がドレンパン５０の傾斜リブ５５と当接して持ち上げ、ドレンパン５０は遥動軸５１を軸芯として回動し、ドレンパン５０の傾斜状態は略水平状態となる。このため、タンク４０が挿入された状態では、ドレンパン５０は、除湿ユニット３や加湿ユニット４からの補水を注ぎ口５２を介して、下方に存在しているタンク４０に導く。
【０１４５】
（タンク抜き出し時）
タンク４０が挿入スペースＳから傾斜リブ５５に触れない程度に抜き出された状態では、図２６に示すように、点Ｕにおいて、タンク４０の上面部分がドレンパン５０の傾斜リブ５５と当接していないため、ドレンパン５０を遥動軸５１を軸芯として回動し、ドレンパン５０の傾斜状態は、予備容器５３や傾斜リブ５５が設けられている側が下方に移動し、加湿水受け５４が設けられている側が持ち上げられるようにしてバランスが保たれた傾斜状態となる。
【０１４６】
これにより、たとえ、除湿ユニット３からの凝縮水によってタンク４が満水状態となり、タンク４０を抜き出して排水作業を行う場合において、除湿ユニット３の下にタンク４０が不在の状態となったとしても、除湿ユニット３の熱交換部３５等から落下する凝縮水は、予備容器５３が傾斜して水受けとして機能することができるため、タンク４０の水が排水されて再びタンク４０が装着されるまでの一時的な補水を行うことができる。また、ドレンパン５０の加湿水受け５４は、加湿ユニット４の気化素子４１の鉛直下方まで伸びて設けられているため、タンク４０が本体ケーシング１０から抜き出された状態であっても、気化素子４１からの落水を補水することができる。これにより、タンク４０を抜き出しても、除湿ユニット３からの凝縮水や、気化素子４１からの落水が、本体ケーシング１の本体底面１５上に滴下してしまうことを回避できる。また、タンク４０が再度挿入された場合には、タンク４０がドレンパン５０の注ぎ口５２の下に存在する状態となった後に、傾斜リブ５５に当接して、予備容器５３に貯まっている水をタンク４０に導く。このため、タンク４０の挿入動作に伴う水漏れも防ぐことができる。
【０１４７】
なお、タンク４０が本体ケーシング１０から抜き出された状態では、図１等に示すように、気化部材扉１６を開けることで気化素子４１を気化素子引出口１３を介して取り出すことができる。そして、この際、図２６で示すように、気化素子４１が本体ケーシング１０内に収容されている状態では、ドレンパン５０の加湿水受け５４は、気化素子４１と当接した状態にある。そして、気化素子４１が本体ケーシング１０から取り出されると、ドレンパン５０は予備容器５３の位置が下降するようにさらに傾斜した状態となり、より多くの水を保持することができる状態になる。
【０１４８】
なお、図２７の概念平面図、および、図２８の概念側面図に示すように、タンク４０の内部には、第１壁８１と第２壁８２と、樹脂ケース７１と、銀イオン除菌剤７３とが設けられている。
【０１４９】
ここで、第１壁８１は、タンク４０の底面から上方に向けて伸びた壁であり、第１突起８１ａを有している。また、第２壁８２は、第１壁８１の面と平行となるようにして、第１壁８１に対する突起８１ａ側において、タンク４０の底面から上方に向けて伸びた壁であり、第１突起８１ａと対向する位置から第１突起８１ａに向けて突起した第２突起８２ａが設けられている。
【０１５０】
樹脂ケース７１は、複数の微細開口を有し、内部に銀イオン除菌剤７３を収容するために開閉可能な筐体であって、第１軸受け部７１ａと第２軸受け部７２ａとを有している。樹脂ケース７１は、第１第１突起８１ａが軸受け部７１ａに嵌合し、第２突起８２ａが第２軸受け部７２ａに嵌合するようにして、第１壁８１および第２壁８２によって鋏持されている。
【０１５１】
銀イオン除菌剤７３は、樹脂ケース７１の微細開口より大きな粒子であり、複数の粒子群から構成されており、樹脂ケーシング７１内に収容されている。
【０１５２】
このようにして、タンク４０内に水が溜まった状態では、銀イオン除菌剤７３がタンク４０内の水に作用することができ、タンク４０内での菌の繁殖を抑えて、タンク４０を清潔に保つことができる。
【０１５３】
＜本実施形態に係る調湿空気清浄装置１の特徴＞
（１）
従来の除湿機や加湿器では、本体にタンクをセットする時、タンクの先端が本体の開口位置と合うように、必ずタンクを床面から持ち上げる必要がある。また、タンクに車輪がついていて、挿入を補助するものもあるが、その場合であっても、挿入時には、タンクの先端が本体の開口位置と合うように、タンクの端を持ち上げねばならず、車輪という別途部材が必要になっている。
【０１５４】
これに対して、本実施形態に係る調湿空気清浄装置１では、タンク４０の水を送水手段として機能する水車４２によって、タンク４０より上方に位置する気化素子４１まで運ぶ構成となっている。したがって、このようにタンク４０の水をより上方に運ぶようにした構成においては、タンク４０は、本体ケーシング１０の下方、特に、気化素子４１よりも下方に配置させることが必要になる。そこで、本実施形態では、本体ケーシング１０へのタンク４０の挿入は、本体ケーシング１０の下方に設けられたタンク引出口１２を介して、挿入スペースＳにタンク４０を略水平方向に滑らせながら挿入するようにして行われる。
【０１５５】
そして、本実施形態では、タンク４０の正面タンクリブ４４ｆおよび背面タンクリブ４４ｂには、挿入方向に向かうにつれて上方に上がるように形成された接触部Ｘが設けられている。そして、正面タンクリブ４４ｆおよび背面タンクリブ４４ｂは、正面タンクリブ４４ｆおよび背面タンクリブ４４ｂの下端からｈ４＋ｈ５の高さを超える高さに至るまでの間の挿入側の縁が、下端から挿入方向に向かうにつれて上方に上がるように形成されている。さらに、この挿入側の縁は、下端から上方に上がる途中で挿入側に傾斜していない部分を有することなく、なだらかに傾斜した形状とされている。
【０１５６】
このため、タンク４０は、本体底面１５の厚み分によって挿入が遮られることなく、タンク４０の正面タンクリブ４４ｆおよび背面タンクリブ４４ｂの接触部Ｘが、タンク引出口１２の縁のうちタンク底面１５を構成している底面開口側端部１５ｐの上端近傍部分を滑るようにして、タンク４０の挿入側が本体底面１５の上面側の上に、挿入抵抗の増大を抑えつつ、楽に滑り上がる。特に、本体底面１５の上面の高さ位置（ｈ４＋ｈ５の高さ）近傍の接触部Ｘが挿入方向に向かうにつれて上方に上がるように形成されているため、タンク４０の挿入し始めについても、楽に行うことができる。
【０１５７】
このように、タンク４０に正面タンクリブ４４ｆおよび背面タンクリブ４４ｂを設けた簡易な構成によって、本体ケーシング１０への挿入を楽にすることができている。
【０１５８】
（２）
本実施形態に係る調湿空気清浄装置１では、正面タンクリブ４４ｆおよび背面タンクリブ４４ｂの下端から本体底面１５の上面高さを超える高さに至るまでの間の挿入側の縁が、下端から上方に上がるにつれてより挿入側に位置するように形成されている。このため、タンク４０の挿入時における挿入抵抗の増大を抑えることができ、本体ケーシング１０に対して、タンク４０をスムーズに挿入させることができる。
【０１５９】
（３）
本実施形態に係る調湿空気清浄装置１では、タンク４０と本体ケーシング１０とを床面Ｇに置いた状態で、タンクリブ４４に支えられたタンク底面４６の下面が本体底面１５の上面よりも低い位置にあったとしても、タンク４０の挿入負荷を低減させることができる。
【０１６０】
（４）
本実施形態に係る調湿空気清浄装置１では、この正面タンク曲面４５ｆと、背面タンク曲面４５ｂと、によって、タンク４０の挿入側端部近傍は、挿入側に向かうにつれて、挿入側に略垂直な水平成分の幅が狭くなっていく形状となっているため、水平方向についてもタンク引出口１２内に導きやすく、挿入作業が楽になる。
【０１６１】
（５）
タンク４０の上下左右方向等の大きさは、成型された時点ですでに定まっている。そして本体ケーシング１０の中のタンク取出口１２の内側のスペースもタンク４０の形状、大きさ等に対応する大きさとなるように成型され、すでに定まっている。
【０１６２】
このような場合に、タンク４０をタンク取出口１２内に挿入できるように導く方法として、先に上下方向成分が所望の成分（高さ）となるようにガイドした後、左右方向成分が所望の成分（左右位置）となるようにガイドしようとすると、本体ケーシング１０の本体底面１５の上面にタンク４０の先端が乗っかった状態となるまでガイドした後に、その状態から、左右方向成分を調節することになる。このため、タンク取出口１２の左右方向の大きさを余分に設けておくことが必要になってしまう。
【０１６３】
これに対して、本実施形態に係る調湿空気清浄装置１では、本体ケーシング１０は、タンク取出口１２の縁のうち、本体正面１０ｆや本体背面１０ｂによって構成されている縁の位置よりも、本体底面１５によって構成されている縁の位置のほうが、所定窪み距離ｈ２だけ挿入側に窪むように形成され、上述した正面タンク曲面４５ｆや背面タンク曲面４５ｂの挿入側とは反対側の端部から、正面タンクリブ４４ｆや背面側の背面タンクリブ４４ｂの挿入側端部までの間の所定厚さｈ３のほうが、本体ケーシング１０の窪みである所定窪み距離ｈ２よりも短くなるように形成されている。
【０１６４】
このため、タンク４０を挿入する際に、正面タンクリブ４４ｆや背面側の背面タンクリブ４４ｂが本体底面１５の窪み部分（タンク取出口１２側端部）にまで到達して本体底面１５の上下方向の位置ガイドが行われるよりも先に、正面タンク曲面４５ｆや背面タンク曲面４５ｂが本体ケーシング１０のタンク取出口１２の縁のうち本体正面１０ｆや本体背面１０ｂの縁に当接して、タンク４０は、左右方向の位置がガイドされて左右方向についてタンク取出口１２の幅の内側に導かれる。そして、左右方向の位置が定まった状態で、タンク４０の正面タンクリブ４４ｆや背面側の背面タンクリブ４４ｂが本体底面１５の窪み部分（タンク取出口１２側端部近傍）の上に滑り上がるようにして上下方向の位置がガイドされて上下方向についてもタンク取出口１２の内側に導かれる。こうして、タンク４０を挿入位置まで容易にガイドすることができる。
【０１６５】
なお、ここで、上下方向については、重力によって下端の位置は、床面Ｇと当接した状態で定まっている。そして、成型された時点でタンク４０の上下方向の大きさによって上端も定まっている。このため、下端および上端がそれぞれ予め定まっているため、本体ケーシング１０のタンク取出口１２は、上下方向の幅を余分に設ける必要がない。
【０１６６】
（６）
本実施形態に係る調湿空気清浄装置１では、正面タンクリブ４４ｆや背面側の背面タンクリブ４４ｂの挿入側とは反対側の端部は、タンク４０の挿入側端部近傍に位置しており、さらに、底面凹部１５ｄは、本体底面１５の上面側のタンク取出口１２近傍に設けられている。
【０１６７】
このため、タンク４０の概ね全体が本体ケーシング１０から取り出された状態になると、正面タンクリブ４４ｆや背面側の背面タンクリブ４４ｂと接触した状態で挿入側とは反対側に向けて正面タンクリブ４４ｆや背面側の背面タンクリブ４４ｂを移動させる場合に、底面凹部１５ｄを、タンク４０の抜き出しに対する抵抗として機能させることができる。
【０１６８】
さらに、正面タンクリブ４４ｆや背面側の背面タンクリブ４４ｂの挿入側とは反対側の端部は、タンク４０の挿入側端部近傍に位置しており、さらに、底面凹部１５ｄは、本体底面１５の上面側のタンク取出口１２近傍に設けられているため、タンク４０の概ね全体が本体ケーシング１０から取り出されつつある状態で、抜き出しに対する抵抗を受け始めるようにすることができる。したがって、タンク４０が本体ケーシング１０から取り出されて、本体底面１５から脱落する前に、タンク４０を抜き出そうとするユーザに状態を把握させることができる。これにより、タンク４０の脱落を防止できることで、タンク４０の本体底面１５からの脱落によるタンク４０の破損等を未然に防止することができる。また、タンク４０の脱落による水跳ねを防止することができる。
【０１６９】
（７）
本実施形態に係る調湿空気清浄装置１では、空気清浄部５、除湿ユニット３、加湿ユニット４および送風機２の順に並べて配置されている。送風機２が稼働すると、空気が空気清浄部５から送風機２に向って流れる空気流路Ａが形成される。空気流路の方向が切替えられることなく、除湿運転と加湿運転とが切替えられるので、流路構成が簡素で、特に前後方向において小型化することができる。
【０１７０】
そして、空気流路Ａに対して、上流から空気清浄領域、除湿領域、加湿領域の順に並んでいるので、加湿運転から除湿運転に切替えられたときに、加湿ユニット４に残留している水分をタンク４０で受けつつ、除湿された空気が加湿ユニット４にさらに残留している水分を乾燥させるので、カビや異臭の発生が防止される。
【０１７１】
（８）
本実施形態に係る調湿空気清浄装置１では、除湿によって発生した水をタンク４０に貯めるので、タンク４０への水補給が自動的に行なわれ、加湿運転の持続可能時間が伸びる。これにより、タンク４０の挿入および取り出し作業自体の必要回数を低減させることができる。
【０１７２】
（９）
本実施形態に係る調湿空気清浄装置１では、加湿ユニット４の水車４２は、回転軸を吸着素子３１および気化素子４１それぞれの回転軸と並行にして、吸着素子３１と気化素子４１との間に配置されている。吸着素子３１は除湿ユニット３の平坦領域３ａに収納され、気化素子４１は加湿ユニット４の平坦領域４ａに収納されている。除湿ユニット３の熱交換部３５も、除湿ユニット３の平坦領域３ａに収納され、吸着素子の外周を囲むように配置されている。このため厚み方向の寸法増大が抑制されている。これにより、本体ケーシング１０に挿入されるタンク４０は、いずれの領域からの落水も受け止めることが可能になっている。
【０１７３】
＜調湿空気清浄装置１の変形例＞
以上、本発明の実施形態について図面に基づいて説明したが、具体的な構成は、これらの実施形態に限られるものではなく、発明の要旨を逸脱しない範囲で変更可能である。
【０１７４】
（Ａ）
上記実施形態では、本体ケーシング１０の本体底面１５にキャスター１９が設けられた場合を例に挙げて説明した。
【０１７５】
しかし、本発明はこれに限られるものではなく、特に、本体ケーシング１０側にキャスター１９が設けられている必要はなく、単に、床面Ｇに対して移動させないように形成されたものであってもよい。
【０１７６】
また、キャスター１９が設けられていない場合に、本体ケーシング１０の本体底面１５が床面Ｇに対して直接接触している場合には、タンク４０に設けられる正面タンクリブ４４ｆや背面側の背面タンクリブ４４ｂの高さは、タンク取出口１２近傍の本体底面１５の上面の高さを超える高さまで設けられていれば、上記実施形態と同様の効果を奏することができる。
【０１７７】
（Ｂ）
上記実施形態では、タンク取出口１２の縁のうち、本体正面１０ｆや本体背面１０ｂによって構成されている縁の位置よりも、本体底面１５によって構成されている縁の位置のほうが、所定窪み距離ｈ２だけ挿入側に窪むように形成され、正面タンク曲面４５ｆや背面タンク曲面４５ｂの挿入側とは反対側の端部から、正面タンクリブ４４ｆや背面側の背面タンクリブ４４ｂの挿入側端部までの間の所定厚さｈ３のほうが、本体ケーシング１０の窪みである所定窪み距離ｈ２よりも短くなるように形成されている場合を例に挙げて説明した。
【０１７８】
しかし、本発明はこれに限られるものではなく、例えば、図２９に示すように、本体ケーシング１０は、本体底面１５においてこのような窪みを設けることなく、タンク取出口１２の開口を床面Ｇに対して略垂直に立つ四角形状としつつ、タンク４０は、正面タンク曲面４５ｆや背面タンク曲面４５ｂの挿入側とは反対側の端部よりも、さらに挿入側とは反対側に、正面タンクリブ４４ｆや背面側の背面タンクリブ４４ｂを設けた構成としてもよい。例えば、正面タンクリブ４４ｆや背面側の背面タンクリブ４４ｂを、タンク４０のタンク底面４６の略中央近傍に設けるようにしてもよい。
【０１７９】
そして、上記実施形態同様に、タンク４０の上下左右方向等の大きさは、成型された時点ですでに定まっている。そして本体ケーシング１０の中のタンク取出口１２の内側のスペースもタンク４０の形状、大きさ等に対応する大きさとなるように成型され、すでに定まっている。このような場合に、タンク４０をタンク取出口１２内に挿入できるように導く方法として、先に上下方向成分が所望の成分（高さ）となるようにガイドした後、左右方向成分が所望の成分（左右位置）となるようにガイドしようとすると、本体ケーシング１０の本体底面１５の上面にタンク４０の先端が乗っかった状態となるまでガイドした後に、その状態から、左右方向成分を調節することになる。このため、タンク取出口１２の左右方向の大きさを余分に設けておくことが必要になってしまう。
【０１８０】
これに対して、本変形例（Ｂ）では、タンク取出口１２が床面Ｇに対して略垂直に立った四角形状であり、かつ、正面タンク曲面４５ｆや背面タンク曲面４５ｂが、正面タンクリブ４４ｆや背面側の背面タンクリブ４４ｂよりも挿入側に位置している（例えば、正面タンクリブ４４ｆや背面側の背面タンクリブ４４ｂがタンク底面４６の下面の中央近傍から下に伸びている等）ことで、タンク４０を挿入する際に、正面タンクリブ４４ｆや背面側の背面タンクリブ４４ｂが本体底面１５のタンク取出口１２近傍部分に当接して上下方向の位置ガイドが行われるよりも先に、正面タンク曲面４５ｆや背面タンク曲面４５ｂがタンク取出口１２の縁のうち本体正面１０ｆや本体背面１０ｂの縁に当接して、タンク４０は、先に左右方向の位置がガイドされて左右方向についてタンク取出口１２の幅の内側に導かれる。
【０１８１】
そして、タンク４０の左右方向の位置が定まった状態で、タンク４０の正面タンクリブ４４ｆや背面側の背面タンクリブ４４ｂが本体底面１５のタンク取出口１２近傍に対して滑り上がるようにして上下方向の位置がガイドされて上下方向についてもタンク取出口１２の内側に導かれる。したがって、容易にタンクを挿入位置までガイドすることができる。
【０１８２】
ここで、タンク４０の上下方向については、重力によって下端が、タンク４０の形状によって上端が、それぞれ予め定まっているため、本体ケーシング１０のタンク取出口１２は、上下方向の幅を余分に設ける必要がない。
【０１８３】
（Ｃ）
上記実施形態では、タンクリブ４４について、タンク４０の挿入側下端部近傍に設けられ、縁が所定の曲率半径のカーブを描くような形状のものを例に挙げて説明した。
【０１８４】
しかし、本発明はこれに限られるものではなく、例えば、タンクリブは、タンク底面４６の下面から下方に伸びるように設けられ、湾曲の無い形状であって、タンクリブの挿入側の縁と、タンクリブが伸びている部分の挿入側のタンク底面４６の下面と、がなす角が鈍角であるような形状としてもよい。この場合であっても同様に挿入負担を軽減させることができる。
【０１８５】
（Ｄ）
上記実施形態では、空気流路Ａに対して除湿領域が加湿領域の上流に位置している場合を例に挙げて説明した。
【０１８６】
しかし、本発明はこれに限られるものではなく、例えば、除湿領域が、加湿領域よりも下流に位置してもよい。これによって、加湿運転から除湿運転に切替えられたときに、加湿ユニット４を通過する空気が、加湿ユニット４に残留する水分を吸収した場合でも、その空気は、除湿ユニット３を通過するので確実に除湿された空気を放出することができる。
【０１８７】
また、加湿領域と除湿領域とが並列に位置してもよい。これによって、除湿運転および加湿運転を同時に行なうことができるので、例えば、加湿された空気で室内湿度を制御しながら、除湿された空気を室内のガラス窓側へ吹き出してガラスの結露を防止することができる。
【０１８８】
（Ｅ）
上記実施形態では、図１３に示すように、タンク取出口１２の縁のうち本体底面１５によって縁取られる部分が全体的に窪んで形成されている場合を例に挙げて説明した。
【０１８９】
しかし、本発明はこれに限られるものではなく、例えば、図３０に示すように、タンク４０のタンクリブ４４が通過する軌跡部分のみを窪ませた構成としてもよい。
【産業上の利用可能性】
【０１９０】
本発明を利用すれば、簡易な構成によって本体に対するタンクの挿入を容易に行うことが可能なため、特に、タンクを本体に対して略水平方向に抜き差しして用いられる調湿装置において有用である。
【図面の簡単な説明】
【０１９１】
【図１】本発明の一実施形態に係る調湿空気清浄装置の斜視図。
【図２】除湿ユニットおよび加湿ユニットの斜視図。
【図３】除湿ユニットの斜視図。
【図４】除湿ユニットをヒータ側から視た正面図。
【図５】加湿ユニットの斜視図。
【図６】図５の空気流れの下流側から視た加湿ユニットの斜視図。
【図７】水車の分解斜視図。
【図８】除湿ユニットと加湿ユニットとが組み合わされた状態の斜視図。
【図９】タンクと水車と加湿ユニットとの位置関係を示す背面図。
【図１０】挿入スペースに対してタンクを挿入する状態を示す背面図。
【図１１】本体底面とタンクとの位置関係を示す底面斜視図。
【図１２】挿入スペースに対してタンクを挿入する状態を示す正面図。
【図１３】挿入スペースに対してタンクを挿入する直前の状態を示す平面視断面図。
【図１４】挿入スペースに対してタンクを挿入する際のタンクテーパの作用を示す平面視断面図。
【図１５】挿入スペースに対してタンクを挿入する際の前後方向の位置が整った状態を示す平面視断面図。
【図１６】挿入スペースに対してタンクを挿入する際のタンクリブが本体底面に当接した状態を示す平面視断面図。
【図１７】挿入スペースに対してタンクを挿入する際のタンクリブの一部が本体底面上に乗り上がった状態を示す平面視断面図。
【図１８】挿入スペースに対してタンクを挿入する際のタンクリブの全体が本体底面上に乗り上がった状態を示す平面視断面図。
【図１９】挿入スペースに対してタンクを挿入する際のタンクリブが本体底面に当接した状態を示す背面断面図。
【図２０】挿入スペースに対してタンクを挿入する際のタンクリブの一部が本体底面上に乗り上がった状態を示す背面断面図。
【図２１】挿入スペースに対してタンクを挿入する際のタンクリブの全体が本体底面上に乗り上がった状態を示す背面断面図。
【図２２】挿入スペースからタンクを抜き出す際の引っかかり状態を示す背面断面図。
【図２３】タンクが挿入されている状態におけるドレンパンおよびその近傍の構成配置を示す斜視図。
【図２４】タンクが抜き出される途中の状態におけるドレンパンおよびその近傍の構成配置を示す斜視図。
【図２５】タンクが挿入されている状態におけるドレンパンの傾斜状態を示す背面図。
【図２６】タンクが抜き出される途中の状態におけるドレンパンの傾斜状態を示す背面図。
【図２７】タンク内の銀イオン除菌剤の配置を示す概念平面図。
【図２８】タンク内の銀イオン除菌剤の配置を示す概念側面図。
【図２９】変形例（Ｂ）に係る挿入スペースに対してタンクを挿入する直前の状態を示す平面視断面図。
【図３０】変形例（Ｅ）に係る挿入スペースに対してタンクを挿入する直前の状態を示す平面視断面図。
【符号の説明】
【０１９２】
１  調湿空気清浄装置（調湿装置）
２  送風機
３  除湿ユニット
３ａ  平坦領域
４  加湿ユニット
４ａ  平坦領域
５  空気清浄部
６  制御部
１０  本体
１０ｆ  本体正面
１０ｂ  本体背面
１２  タンク引出口（本体開口）
１３  気化素子引出口
１５  本体底面（本体底面部）
１５ｄ  底面凹部（抵抗部）
１５ｐ  底面開口側端辺
１９  キャスター
３１  吸着素子
３２  ヒータ
３３  第２送風機
３４  送風管
３５  熱交換部
４０  タンク
４０ｆ  タンク正面
４０ｂ  タンク背面
４０ｓ  タンク挿入面
４０ｗ  添え部
４１  気化素子
４２  水車
４３  駆動部
４４ｆ  正面タンクリブ
４４ｂ  背面タンクリブ
４５ｆ  正面タンク曲面
４５ｂ  背面タンク曲面
４６  タンク底面（タンク底面部）
４６ａ  タンクテーパ
４７  タンク取出面
４７ａ  タンク窓部
４８  タンク取手
５０  ドレンパン
５１  遥動軸
５２  注ぎ口
５３  予備容器
５４  加湿水受け
５５  傾斜リブ
ｈ２  所定窪み距離
ｈ３  所定厚さ
Ｐ１〜４  鉛直接点
Ｑ１〜３  水平接点
Ｓ  挿入スペース
Ｔ  ドレンパンリブ接点
Ｕ  ドレンパン気化部材接点
Ｘ  接触部
Ｙ  タンク抵抗部
【図１】
0004775353.tif 000002
【図２】
0004775353.tif 000003
【図３】
0004775353.tif 000004
【図４】
0004775353.tif 000005
【図５】
0004775353.tif 000006
【図６】
0004775353.tif 000007
【図７】
0004775353.tif 000008
【図８】
0004775353.tif 000009
【図９】
0004775353.tif 000010
【図１０】
0004775353.tif 000011
【図１１】
0004775353.tif 000012
【図１２】
0004775353.tif 000013
【図１３】
0004775353.tif 000014
【図１４】
0004775353.tif 000015
【図１５】
0004775353.tif 000016
【図１６】
0004775353.tif 000017
【図１７】
0004775353.tif 000018
【図１８】
0004775353.tif 000019
【図１９】
0004775353.tif 000020
【図２０】
0004775353.tif 000021
【図２１】
0004775353.tif 000022
【図２２】
0004775353.tif 000023
【図２３】
0004775353.tif 000024
【図２４】
0004775353.tif 000025
【図２５】
0004775353.tif 000026
【図２６】
0004775353.tif 000027
【図２７】
0004775353.tif 000028
【図２８】
0004775353.tif 000029
【図２９】
0004775353.tif 000030
【図３０】
0004775353.tif 000031